(57)【特許請求の範囲】
【請求項１】
トゥースクラウン又はジョーセグメントをモデルベースに取外し可能に固定するためのジョースタンプモデルのためのプラグコネクションであって、プラグピンとスリーブとを有し、プラグピン（１，１′，１″）がスリーブ（１２，１２′，１２″）に係止結合可能であり、スリーブ（１２，１２′，１２″）内でのプラグピン（１，１′，１″）の回転運動が回動防止装置で阻止されている形式の、ジョースタンプモデルのためのプラグコネクションにおいて、プラグピン（１，１′，１″）がスリーブ（１２，１２′，１２″）に向いた端部に、スリーブ（１２，１２′，１２″）と係止結合させるための少なくとも１つの切欠きを有するばねエレメント（８，２１，３３）を有していることを特徴とする、ジョースタンプモデルのためのプラグコネクション。
【請求項２】
スリーブ（１２，１２′，１２″）へのプラグピン（１，１′，１″）の最大侵入深さがストッパで制限されている、請求項１記載のプラグコネクション。
【請求項３】
ばねエレメント（８，２１，３３）が少なくとも１つのばね舌片を有している、請求項１記載のプラグコネクション。
【請求項４】
ばねエレメント（８，２１，３３）がほぼ円筒形の基体を有し、該基体が少なくとも１つの、貫通する、スリーブ（１２，１２′，１２″）に向いた端部まで延びる長手方向スリット（９，２３，３５）で、複数のばね舌片（１０，２２，３４）に分割されている、請求項１記載のプラグコネクション。
【請求項５】
ばねエレメント（８，３３）が環状のリング溝（１１，３６）を有し、該リング溝（１１，３６）で該リング溝（１１，３６）に適合させられた、スリーブ（１２，１２″）の内室へ突出する突起に係止結合可能である、請求項３記載のプラグコネクション。
【請求項６】
スリーブ（１２）の内室へ突出する突起が環状の狭窄部（１６）として構成されている、請求項５記載のプラグコネクション。
【請求項７】
スリーブ（１２″）の内室へ突出する突起が側方へずらして取付けられた、部分的にスリーブ（１２″）の内室に突出する係止ピン（３９）として構成されている、請求項５記載のプラグコネクション。
【請求項８】
ばねエレメント（２１）の切欠きがプラグピン軸線に垂直な貫通する横孔（２４）として構成され、該横孔（２４）が係止ピン（２７）として構成された、スリーブ（１２′）の内室に突出する突起の周囲に係合して係止される、請求項１記載のプラグコネクション。
【請求項９】
スリープ（１２，１２′，１２″）内でストッパによって規定されたプラグピン（１，１′，１″）の終端位置にて、ばねエレメント（８，２１，３３）の切欠きが、スリーブ（１２，１２′，１２″）の内室へ突出する突起に対し相対的に規定されたシフトを有し、プラグピン（１，１′，１″）が付加的に持久的に作用する引張り力で終端位置に固定される、請求項２記載のプラグコネクション。
【請求項１０】
プラグピン（１，１′，１″）が少なくとも局所的に半径方向に突出する、非回転対称的な回動防止区分（４，１９，３０）を備えたほぼ円筒形の基本形（５，３１）を有し、回動防止区分（４，１９，３０）がスリーブ開口の領域にて回動防止区分（４，１９，３０）に合わせられたスリーブ（１２，１２′，１２″）の内室に係合する、請求項１記載のプラグコネクション。
【請求項１１】
回動防止区分（４，３０）が少なくとも１つの、プラグ軸線に対し平行に延びる平らな面取り部（６，３１）を有する、半径方向に突出する、ほぼ円筒状の基本形を有し、スリーブ（１２，１２″）がスリーブ開口の領域にて面取り部（６，３１）に適合させられた、内部へ突出する突起（１５，３８）を有している、請求項１０記載のプラグコネクション。
【請求項１２】
回動防止区分（１９）が多角形の横断面を有し、スリーブ（１２′）がスリーブ開口の領域に、前記横断面に合わせられた内室を有している、請求項１０記載のプラグコネクション。
【請求項１３】
回動防止区分（４）が半径方向に突出する横ピン（７）を有し、該横ピン（７）が、該横ピン（７）に適合させられた、スリーブ開口領域における少なくとも１つの切欠き（１４）に係合する、請求項１０記載のプラグコネクション。
【請求項１４】
ばねエレメント（８，２１，３３）の直径が最高でも、スリーブ開口の領域におけるスリーブ（１２，１２′，１２″）の最小直径と等しい、請求項１０記載のプラグコネクション。
【請求項１５】
プラグピン（１，１′，１″）とスリーブ（１２，１２′，１２″）が金属、セラミック又はプラスチックから成っている、請求項１記載のプラグコネクション。
【発明の詳細な説明】
【０００１】
【発明の属する技術分野】
本発明は、モデルベースの上にトゥースクラウン又はジョーセグメントを解離可能に固定するジョースタンプモデルのためのプラグコネクションであって、プラグピンとスリーブとを有する形式のものに関する。
【０００２】
歯科医療的な処置の枠内で、単数又は複数の歯の後継歯、場合によってはジョーセグメントの後継物が必要になると、そのために設けられたインプラントが個々に患者のために製作されかつ患者に適合させなければならない。このためにはしばしば患者の歯列印象が製作され、この歯列印象がジョースタンプモデルの原型として役立つ。このジョースタンプモデルは患者の歯列からの同じ印象であるインプラント、例えばトゥースクラウンセグメントにより代替する必要がある患者口腔内の領域はモデルにて取り除かれる。あらかじめ製作されたインプラント中間製品は患者の処置に必要な形になるまで、段階的にモデルに合わせられる。このような形式で特別に患者のために製作されたインプラントは、インプラントの面倒な加工又は後処置を必要とすることなく、手術により患者の口腔内に固定される。外科的な手術に先行して行なわれる患者のジョースタンプモデルに対する適合のためには、まずインプラントがモデルに固定されなければならない。しかし、段階的な適合と補修とが行なわれる間には、ほとんど常にインプラントが何度もモデルから取出されかつあらためてモデルに固定されなければならない。この場合にはインプラントが中間の取出し後、再びジョースタンプモデルの同じ場所に正確に固定されることが保証されなければならない。さもないと、モデル、ひいては患者に対するインプラントの正確な適合は不可能である。
【０００３】
この理由から、インプラントにプラグピンを固定し、このプラグピンでインプラントをモデルにおける対応する孔に差込まれる。しかしながらモデルは例えば石膏から製作されていることができるので、インプラントを固定するたび又は取出すたびに孔が材料摩滅により損傷され、インプラントの正確な位置が長期に亘って保証されることができない。
【０００４】
公開文献ＥＰ０３３５２８５Ａ２にはプラグピンの他にジョースタンプモデルに挿入されるスリーブを有している。このスリーブは十分な耐性を有する材料、例えば金属から成り、プラグピンによるジョースタンプモデルの損傷を回避する。
【０００５】
このような回転対称的なプラグコネクションは、プラグ軸を中心としたインプラントの回転運動を阻止することはできないので、ジョースタンプモデルにおけるインプラントの確実でかつ再現可能な固定のためには付加的な処置が必要である。例えばインプラントの回転運動を、隣合って取付けられた２つのプラグコネクションで阻止することが公知である（ＤＴ２６２５９５０Ａ１）。しかしながらこれはすべての場合には可能ではなく又は代替可能ではない高い作業費用と大きな所要スペースとを必要とする。
【０００６】
このようなプラグコネクションにてスリーブとプラグピンとが正確に軸平行に向けられていないと、モデルにインプラントを固定しかつモデルからインプラントを取出す際にスリーブ内でプラグピンが傾くことがしばしばある。これに起因する負荷はジョースタンプモデルだけではなく、インプラントにおけるプラグピンの固定を損なうので、インプラントを製作する場合の精度損失につながることになる。例えばインプラントの回転運動を阻止するためにインプラントのために数多くのプラグコネクションが使用されるほど、応力又は傾きを回避するためにはプラグコネクションの方向に対する正確さについての要求が高くなる。
【０００７】
すでに公知であるプラグコネクション（ＤＥ４３００９２６Ａ１）においては、プラグピンは軽く円錐状に構成されているので、プラグピンが同様に円錐状に延びるスリーブ内に完全に侵入してはじめて、プラグピンとスリーブとの間に十分に堅固な形状および摩擦接続が生じる。プラスチックから成るスリーブの内面における乳頭状の突起によってスリーブにおけるプラグピンの保持力は高められる。しかし、スリーブにおけるプラグピンの確実な結合は、ここでも、両方の部分が正確に軸平行に配置されている場合にしか保証されない。さらにインプラントの回転運動を阻止するためには、インプラントをモデルに固定するために、前記プラグコネクションが少なくとも２つ必要である。
【０００８】
インプラントが用いられる常に進歩する歯科医療では、インプラントの製作と適合に際して要求される精度はしだいに高くなっている。口腔内でのインプラントに常に作用する高い負荷、例えば噛む場合の負荷に基づき、各患者にできるだけ良好に適合させられたインプラントは、この負荷に耐える、患者の顎とインプラントとの堅固な結合の前提条件である。
【０００９】
【発明が解決しようとする課題】
したがって本発明の課題はジョースタンプモデルの冒頭に述べた形式のプラグコネクションを改良して、モデルベースにインプラントを確実にかつ簡単に取外し可能に固定できるようにすることである。この場合、プラグコネクションの軸線を中心としたインプラントの回転運動はできるだけ阻止したい。さらにスリーブ内にあるプラグピンの負荷と傾きは、両方の部分が正確に軸平行に配置されていない場合でも回避したい。
【００１０】
【課題を解決するための手段】
本発明の課題は、プラグピンとスリーブとが係止結合可能でありかつスリーブ内でのプラグピンの回転運動が阻止されていることによって解決された。
【００１１】
プラグピンとスリーブとの係止結合はモデルベースにおけるインプラントの十分に安定した固定をもたらす。したがってプラグピンは、取扱いを著しく容易にする遊びでスリーブ内へ完全に導入されることができる。係止結合によって規定された終端位置でプラグピンは所定の位置に固定される。インプラントを取外すためにはプラグピンとスリーブとの間の係止結合を解消するだけでよい。そのあとでプラグピンはスリーブから完全に引出すことができる。その際、スリーブでプラグピンに負荷がかけられたり又はプラグピンが傾けられることを危惧する必要はない。インプラントがモデルベースの上に当該インプラントのために指定された位置に配置されてはじめて、プラグピンとスリーブとの間の係止結合が与えられる。
【００１２】
回動防止によってはスリーブにおけるプラグピンの回転運動が阻止される。これにより、唯一のプラグコネクションで、モデルベースに固定されたインプラントが行なう可能性のある回動が回避される。したがって付加的なプラグコネクションは必要ではなくなる。これは作業及び材料の節減の他に、このようなプラグコネクションをモデルベースに対する接触面が小さいきわめて小さいインプラントに使用することも可能にする。
【００１３】
スリーブへのプラグピンの最大侵入深さはストッパによって制限されている。このようなストッパは簡単な製作技術的な手段、例えばプラグピンの長さによって又はプラグピンから半径方向に突出する突起によって形成されていることができる。このような形式でスリーブへのプラグピンの最大侵入深さは僅かな費用で確実にかつ正確に決定される。
【００１４】
本発明の思想の有利な構成に基づき、プラグピンはスリーブに向いた端部にスリーブとの係止結合するための切欠きを有するばね部材を有している。プラグピンをスリーブへ導入する場合にはスリーブの内室へ突出する突起によって、ばね部材がそのために設けられた切欠きの領域にてスリーブの突起と係止結合させられるまで軽く湾曲させられる。ばね部材の変形に必要な力はばね部材の形及び材料により決定される。この場合、ばね部材は、一方ではプラグピンとスリーブとの間に十分に確実な係止結合が保証され、他方ではスリーブ又はプラグピンもしくは該プラグピンと結合されたインプラントとの大き過ぎる負荷による損傷が回避されるように形成されている。
【００１５】
有利な形式で、ばね部材はほぼ円筒形の基体を有し、該基体はスリーブに向いた端部まで延びる長手方向スリットにより複数のばね舌片に分割されている。このような形式で、簡単な手段を用いて丈夫でかつスリーブにおけるプラグピンの方向とは無関係なばね部材が製作され得るようになる。このようなばね部材のためには、付加的にプラグピンに取付けられた構成部分は不要である。長手方向スリットの寸法によってプラグピンの材料に無関係に、ばね舌片を変形するために必要な力が規定される。
【００１６】
本発明の思想の１実施例によれば、スリーブの内室へ突出する突起は環状の隆起部として構成されている。この場合には、ばね部材に対応して形成された切欠きと関連して、プラグピンとスリーブとの係止結合が全周に亘って行なわれる。スリーブにおけるプラグピンの確実な固定に必要な引き留め力は環状の隆起部に一様に分配されかつ局所的に行なわれてはならない。係止結合は複数のばね舌片を介して分散して行なうことができるので、モデルベースにインプラントを確実に固定するためには、わずかな隆起部高さと、これによってプラグピンを導入する間のばね舌片のわずかな湾曲とで十分である。
【００１７】
さらに、ばね部材の切欠きをピン軸線に対し直角である一貫した横孔として構成し、この横孔が係止ピンとして構成された、スリーブ内室へ突出する突起を取囲んで係止が行なわれるようにすることもできる。スリーブ横断面を狭ばめる、環状に隆起部の機能はスリーブ内室にて横に設けられた係止ピンが発揮することもできる。プラグピンをスリーブへ導入する場合には、個々の係止舌片は押し縮められるのではなく軽く外側へ曲げられる。ばね部材に係止結合のために設けられた切欠きは、製作技術的に簡単にばね部材を貫通する横孔として設けることができる。プラグピンの終端位置では係止ピンはばね部材の横孔の領域にある。この場合には横孔は係止ピンを取囲み係止する。プラグピンのばね部材における横孔もスリーブの内室にある係止ピンも係止結合のためにはピン軸線に対して直角な共通の軸線に沿って配置されているので、プラグピンには所定の方位が与えられる。この位置からのわずかな回動はいずれもこの回動に抗して作用するばね力を発生させる。
【００１８】
さらに有利な形式では、ストッパによってスリーブ内でプラグピンに与えられている終端位置にて、ばね部材の切欠きが、スリーブ内室へ突出する突起に対して規定された相対的なシフト量を有している。したがってプラグピンは付加的に持続的に作用する引張り力で終端位置へ固定される。ばね部材のばね作用はプラグピンをスリーブ内部へ引っ張る力を生ぜしめる。終端位置を規定するストッパなしでは、プラグピンはこの引っ張り力に基づき、ばね部材の切欠きがスリーブ内室へ突出する突起の上へくるようにスリーブ内へ侵入しかつばね部材の変形が減少させられることになると想われる。この持続的に作用する引っ張り力はプラグピンをスリーブから引き出すためには克服されなければならない。これによってプラグピンがスリーブから意図されないのにわずかに滑り出ることは回避される。プラグピンとスリーブとの係止結合の前記構成は、製作技術的に回避できないプラグピンとスリーブとの寸法偏差がありかつ両方の部分が正確に軸平行に配置されていない場合にも、モデルベースの上のインプラントの正確に規定された、再現可能な固定位置をもたらす。
【００１９】
本発明の思想の有利な構成に基づき、プラグピンは少なくとも場所的に半径方向に突出する、回転対称ではない回動防止区分を有するほぼ円筒形の基本形を有していることができる。この場合には前記回動防止区分はスリーブ開口の領域にて、該回動防止区分に適合させられたスリーブの内室に係合する。プラグピンがほぼ完全にスリーブ内へ導入させられると、側方へ突出する、非回転対称的であるプラグピンの突起はスリーブに係合させられる。スリーブ開口の領域ではスリーブは、プラグピンの回動防止区分が所定の方向でしかスリーブへ導入できないように構成されている。この回動防止区分が少なくとも部分的にスリーブへ押込まれると、プラグピンの回動はもはや可能ではない。回動防止区分の長さはそのつどの要求に適合させることができる。
【００２０】
本発明の思想の１実施例に基づき、回動防止区分はプラグピン軸線に対し平行に延びる平らな面取り部を有する。半径方向に突出する、ほぼ円筒形の基本形を有し、スリーブはスリーブ開口の範囲に、前記回動防止区分に適合させられた、内方へ突出する突起を有している。他が円筒形である回動防止区分における前記面取り部は、製造中に大きな労力なしで達成される。回動防止区分に適合させられたスリーブ開口の形状はスリーブにおけるプラグピンに唯一の方向しか許さない。スリーブ内でのプラグピンの回動に抗しては面取り部に作用するスリーブの対抗圧が作用する。
【００２１】
本発明の思想の有利な構成に基づき、ばね部材の直径は最高でもスリーブ開口の領域におけるスリーブの最小内径と同じである。これによってプラグピンのばね部材は妨げられずに、プラグピンの方向づけとは無関係にスリーブへ導入されることができる。インプラントはもはや意図されないのにモデルベースから脱落することはない。インプラントの正確な方向づけはプラグピンが部分的に導入された状態で著しく容易になる。
【００２２】
本発明の思想の別の実施例は従属請求項の対象である。
【００２３】
【発明の実施の形態】
以下、図面に示した実施例に基づき本発明を詳説する。
【００２４】
図１と２とに示されたプラグピン１は円筒形のシャフト２を有し、このシャフト２にはインプラントが固定される。半径方向に突出する環状の突起３はインプラントに固定可能なシャフト２を制限し、プラグピン１を所属のスリーブに導入した場合にプラグピン１の終端位置を規定するストッパを形成する。環状の半径方向の突起３には回動防止区分４が接続している。回動防止区分４はプラグピン軸線に対し平行に延びる平らな面取り部６を有するほぼ円筒形の基本形５を有している。平らな面取り部６のために非回転対称的な回動防止区分４の形態に加えて、回動防止区分４は一貫した、両側へ突出する横ピン７を有している。プラグピン１のスリーブ側の端部にはばね部材８がある。貫通する長手方向スリット９は、同様にほぼ円筒形のばね部材８をそれぞれほぼ半円形の横断面を有する２つのばね舌片１０に分割する。両方のばね舌片１０は環状に延在するリング溝１１を有している。
【００２５】
図１と図２とに示されたプラグピン１は図３と４とに示されたスリーブ１２と一緒に用いられる。スリーブ１２はほぼ円筒形のスリーブ基体１３から成っている。スリーブ基体１３の、プラグピン１を受容する端部には互いに向き合った、丸味のつけられた、細長い２つの切欠き１４がある。これらの切欠き１４は両側で突出する横ピン７を受容するために役立つ。スリーブ開口の領域にてほぼ円筒形である内室は片側で、プラグピン１の平らな面取り部６に合わせられた平らな突起１５によって狭ばめられている。細長い、丸味の付けられた切欠き１４並びに平らな突起１５は、プラグピン１が環状の半径方向の突起３によって形成されたストッパまでスリーブ１２内へ導入され得るように、互いに相対的に配置されている。
【００２６】
スリーブ基体１３は環状の狭窄部１６を有している。スリーブ基体１３の内室は環状の狭窄部１６によって、スリーブ１２に導入された場合にプラグピンの両方のばね舌片１０が圧縮されるように狭ばめられている。プラグピン１がほぼ完全にスリーブ１２内に導入されるとリング溝１１は狭窄部１６の領域にあって、両方のばね舌片１０の弛緩を可能にする。リング溝１１を有する両方のばね舌片１０はスリーブ基体１３のリング状に延在する狭窄部１６と協働して係止結合部を形成する。
【００２７】
スリーブ基体１３の外面には複数のリング状の凹所１７がある。このリング状の凹所１７はジョースタンプモデルのモデルベースにスリーブ１２を十分に安定的に固定するために役立つ。
【００２８】
同様にばね部材８がばね舌片１０を１つしか有していないこともできる。この唯一のばね舌片１０の与えられる形と材料の選択とによって、ばね舌片が１つしかなくても、プラグピンとスリーブ１２との十分に確実な結合が保証される。同じ形式で１つの長手方向スリット９の代わりに複数の長手方向スリットがばね部材８を適当な数のばね舌片に分割することもできる。
【００２９】
図５には図１に示されたプラグピン１を矢印Ｖの方向から見た図である。平らな面取り部６並びに横ピン７ははっきりと、その他のほぼ回転対称的なプラグピン構造とは異なっていることが判る。図６に示されたスリーブ１２の側面図は該スリーブの回転対称的になぞられた外形を示している。リング状の狭窄部１６と凹所１７とによってモデルベースにおけるスリーブ１２の確実な固定が達成される。
【００３０】
プラグピン１′の別の構成は図７と８とに示されている。円筒形のシャフト１８には、６角形の横断面を有する回動防止区分１９が続いている。シャフト１８の直径が回動防止区分１９と比較して大きいことに基づき、シャフト１８の環状の端面２０はストッパを形成し、該ストッパで、プラグピン１′がそれに適合させられたスリーブにさらに侵入することを阻止する。回動防止区分１９の後にはばね部材２１がある。このばね部材２１は図１に示されたプラグピン１の場合のように２つのばね舌片２２を有している。これらのばね舌片２２は一貫した長手方向スリット２３によって互いに分離されている。環状のリング溝の代わりにばね部材２１は貫通する横孔２４を有している。プラグピン１′に適合させられたスリーブ１２′（９と１０）はプラグピン１′の回動防止区分１９に適合させられた、同様に６角形の横断面を有するスリーブ開口領域２５を有している。しかしスリーブ１２はリング状の狭窄部の代わりにスリーブ軸線に対し直角に配置された、一貫した係止ピン２７を有している。スリーブ１２′内へプラグピン１′を導入した場合には両方のばね舌片２２は係止ピン２７の領域で容易に押し広げられ、係止ピン２７がばね部材２１の一貫した横孔２４内に位置する。その際、両方のばね舌片２２は係止ピン２７を掴むので、プラグピン１′はスリーブ１２′に係止結合させられる。
【００３１】
ばね部材２１の直径が小さいことに基づいて、プラグピン１′は回動防止区分１９まで任意にスリーブ１２内へ導入させられることができる。回動防止区分１９とこれに適合させられたスリーブ開口領域の６角形横断面は、スリーブ１２′に対するプラグピンの所定の方向づけを必要とする。係止ピン２７はばね舌片２２での係止ピン２７の掴みが、回動防止区分１９によって規定されたプラグピン１′の方向づけで可能であるように配置されていなければならない。
【００３２】
プラグピン１′並びにスリーブ１２′の側面図は図１１と図１２とに示されている。
【００３３】
図１３と１４に示されたプラグピン１″は、図１と図７に示されたプラグピン１と１′との個々の構成の特徴の有利な組合わせを有している。半径方向の環状の突起２８はインプラントに固定するために設けられたシャフト２９を、スリーブに導入しようとするプラグピンの領域から分離している。回動防止区分３０はほぼ円筒形の基本形部分３１を有し、該基本形部分３１には平らな面取り部３２がある。これに続くばね部材３３は貫通した長手方向スリット３５によって互いに分離された２つのばね舌片３４から成っている。ばね部材３３は環状のリング溝３６を有している。
【００３４】
このプラグピン１″と結合させるために設けられたスリーブ１２は、片側に平らな突起３８を有するほぼ円筒形のスリーブ開口領域３７を有している。環状の狭窄部の代わりにここでは側方へずらされて取付けられた係止ピン３９がある。この係止ピン３９はスリーブ基体４０の内室へ部分的にだけ突入する。プラグピン１″をスリーブ１２″に導入する場合には係止ピン３９が位置するのと同じ側にあるばね舌片３４は係止ピン３９により曲げられる。プラグピン１″が環状の半径方向の突起２８によって設けられたストッパまでスリーブ１２″内へ導入されると、リング溝３６は係止ピン３９の領域にある。係止ピン３９を掴むばね舌片３４は弛緩した状態でプラグピン１″とスリーブ１２″とを係止結合させる。
【００３５】
プラグピン１，１′，１″並びにスリーブ１２，１２′，１２″は統一的に金属、セラミック又はプラスチックから成ることができる。しかし、特殊な使用例にとっては種々異なる材料から組合わされた多部分構造が有利であることもある。
【図面の簡単な説明】
【図１】プラグピンの側面図。
【図２】図１に示されたプラグピンを矢印ＩＩの方向から見た図。
【図３】スリーブの断面図。
【図４】図３に示したスリーブを矢印ＩＶの方向から見た図。
【図５】図１に示されたプラグピンを矢印Ｖの方向から見た側面図。
【図６】図４で断面して示されているスリーブを矢印ＶＩの方向から見た図。
【図７】プラグピンの別の実施例の側面図。
【図８】図７に示したプラグピンを矢印ＶＩＩＩの方向から見た図。
【図９】図７に示したプラグピンに適合させられた断面図。
【図１０】図９に示したプラグピンを矢印Ｘの方向から見た図。
【図１１】図７に示したプラグピンを矢印Ｘの方向から見た図。
【図１２】図９に示したスリーブを矢印ＸＩＩの方向から見た図。
【図１３】プラグピンの別の実施例の側面図。
【図１４】図１３に示したプラグピンを矢印ＸＩＶの方向から見た図。
【図１５】図１３に示したプラグピンに適合させられたスリーブの断面図。
【図１６】図１５に示されたスリーブのＸＶＩ−ＸＶＩに沿った断面図。
【符号の説明】
１，１′，１″  プラグピン、  ２  シャフト、  ３  突起、  ４  回動防止区分、  ５  基本形部分、  ６  面取り部、  ７  横ピン、  ８  ばね、  ９  長手方向スリット、  １０  ばね舌片、  １１  リング溝、  １２  スリーブ、１３  スリーブ基体、  １４  切欠き、  １５  突起、  １６  狭窄部、  １７  凹所、  １８  シャフト、  １９  回動防止区分、  ２０  端面、  ２１  ばね部材、  ２２  ばね舌片、  ２３  長手方向スリット、  ２４  横孔、  ２５  スリーブ開口領域、  ２７  係止ピン、  ２８  突起、  ２９  シャフト、３０  回動防止区分、  ３１  基本形部、  ３２  面取り部、  ３３  ばね部材、  ３４  ばね舌片、  ３５  長手方向スリット、  ３６  リング溝、  ３７スリーブ開口領域、  ３８  突起、  ３９  係止ピン、  ４０  スリーブ基体
【図１】
0004315621.tif 000002
【図２】
0004315621.tif 000003
【図３】
0004315621.tif 000004
【図４】
0004315621.tif 000005
【図５】
0004315621.tif 000006
【図６】
0004315621.tif 000007
【図７】
0004315621.tif 000008
【図８】
0004315621.tif 000009
【図９】
0004315621.tif 000010
【図１０】
0004315621.tif 000011
【図１１】
0004315621.tif 000012
【図１２】
0004315621.tif 000013
【図１３】
0004315621.tif 000014
【図１４】
0004315621.tif 000015
【図１５】
0004315621.tif 000016
【図１６】
0004315621.tif 000017